(57)【要約】【課題】球誘導経路により遊技球を安定して遊技領域に誘導可能とすると共に、遊技盤への球誘導経路を形成する部材の取り付け作業の簡素化を図る弾球遊技機を提供する。【解決手段】外側誘導レール４０には該外側誘導レールと少なくとも略同一の幅及び長さを有し、外側誘導レールの球誘導面４１の裏面４２に当接して外側誘導レールの位置を保持する外側誘導レール保持部材６０が備えられ、外側誘導レール保持部材と内側誘導レール５０とを少なくとも一体に形成し、外側誘導レール保持部材の一部に外側誘導レールの球誘導面と当接しない非当接部６１を形成して、非当接部により外側誘導レール保持部材と非当接とされている外側誘導レールの球誘導面を発射装置から発射された遊技球が最初に衝突され易い衝突領域４３とする。【選択図】図６
2006095010.tif 000002
【特許請求の範囲】
【請求項１】
遊技盤面に対して略垂直に立設された外側誘導レールと内側誘導レールにより形成された球誘導経路を介し、発射装置により発射された遊技球を前記外側誘導レールの球誘導面に沿わせて遊技盤上に形成された遊技領域に導く弾球遊技機において、
前記外側誘導レールには該外側誘導レールと少なくとも略同一の幅及び長さを有し、前記外側誘導レールの球誘導面の裏面に当接して前記外側誘導レールの位置を保持する外側誘導レール保持部材が備えられ、前記外側誘導レール保持部材と前記内側誘導レールとを少なくとも一体に形成し、前記外側誘導レール保持部材の一部に前記外側誘導レールの球誘導面と当接しない非当接部を形成して、
前記非当接部により前記外側誘導レール保持部材と非当接とされている前記外側誘導レールの球誘導面は、前記発射装置から発射された遊技球が最初に衝突され易い衝突領域であり、さらに前記外側誘導レール保持部材と非当接とされていることにより、前記外側誘導レール保持部材と非当接とされている前記外側誘導レールの球誘導面が他の前記外側誘導レールの球誘導面よりも弾性力を有する
ことを特徴とする弾球遊技機。
【請求項２】
前記外側誘導レールが、前記外側誘導レール保持部材とは別体の弾性部材として形成され、前記弾性部材自体の弾性力によって前記外側誘導レールは前記外側誘導レール保持部材に沿って取り付けられることを特徴とする請求項１に記載の弾球遊技機。
【請求項３】
前記内側誘導レール及び前記外側誘導レール保持部材の各々を一体に立設した台板を備え、前記外側誘導レールは前記外側誘導レール保持部材に沿って取り付けられ、前記球誘導経路は、前記台板と前記内側誘導レール及び前記外側誘導レールにより包囲された空間であることを特徴とする請求項１又は２に記載の弾球遊技機。
【請求項４】
遊技盤面に対して略垂直に立設された外側誘導レールと内側誘導レールにより形成された球誘導経路を介し、発射装置により発射された遊技球を前記外側誘導レールの球誘導面に沿わせて遊技盤上に形成された遊技領域に導く弾球遊技機において、
前記外側誘導レールは該外側誘導レールの球誘導面と反対側に向けて所定の厚みを有し、前記外側誘導レールと前記内側誘導レールとを少なくとも一体に形成し、前記外側誘導レールの球誘導面において、前記外側誘導レールの有する厚みの一部に切り欠き部を形成した非当接部、あるいは前記外側誘導レールの有する厚みの内部に空洞部を形成した非当接部を設けて、
前記外側誘導レールの切り欠き部もしくは空洞部からなる各々の非当接部の球誘導面は、前記発射装置から発射された遊技球が最初に衝突され易い衝突領域であり、さらに前記外側誘導レールの切り欠き部もしくは空洞部を形成することにより、前記切り欠き部もしくは前記空洞部を形成した前記外側誘導レールの球誘導面が他の前記外側誘導レールの球誘導面よりも弾性力を有する
ことを特徴とする弾球遊技機。
【請求項５】
前記内側誘導レールと前記外側誘導レールの各々を一体に立設する台板を備え、前記球誘導経路は、前記台板と前記内側誘導レール及び前記外側誘導レールにより包囲された空間であることを特徴とする請求項４に記載の弾球遊技機。
【請求項６】
前記台板が前記遊技盤面への取付部を有し、前記取付部は前記台板のうち前記遊技領域及び前記球誘導経路内と異なる前記外側誘導レールの外方側に形成されていることを特徴とする請求項３又は５に記載の弾球遊技機。
【請求項７】
前記発射装置から発射された遊技球は、前記外側誘導レール及び前記内側誘導レールと所定間隔を隔てた位置に設けられている発射レールから発射され、前記非当接部は前記外側誘導レールにおいて前記発射レール寄りに形成されていることを特徴とする請求項１ないし６のいずれか１項に記載の弾球遊技機。
【請求項８】
前記発射レールに略直線形状の遊技球誘導面を設け、前記遊技球誘導面の遊技球を前記外側誘導レールの球誘導面に向けて前記発射装置より発射可能に配置し、さらに前記外側誘導レールを略円弧状に配設し、
発射された遊技球は前記遊技球誘導面によりいったん略直線上に誘導された後、前記外側誘導レールの球誘導面に接触して前記外側誘導レールの球誘導面により曲線的に誘導される構成とし、
少なくとも前記発射レールの遊技球誘導面の延長線と前記外側誘導レールの交点に位置する前記外側誘導レールの球誘導面付近に非当接部を形成していることを特徴とする請求項７に記載の弾球遊技機。
【請求項９】
前記球誘導経路の一端側に前記発射装置から発射された遊技球を受け入れる球入口が形成されると共に、前記球誘導経路の他端側に当該球誘導経路に受け入れられた遊技球を前記遊技領域に送出する球出口が形成され、
前記非当接部は前記球誘導経路の一端側の近傍に位置していることを特徴とする請求項１ないし８のいずれか１項に記載の弾球遊技機。
【請求項１０】
前記非当接部が少なくとも前記外側誘導レールの球誘導面と同一の幅であることを特徴とする請求項１ないし９のいずれか１項に記載の弾球遊技機。
【請求項１１】
前記球誘導経路を通過した遊技球がいったん前記遊技領域に送出された際に再度前記球誘導経路に戻ることを防止する球戻り防止部材と、前記球戻り防止部材が取り付けられる球戻り防止取付部を備え、
前記球戻り防止取付部は、前記内側誘導レールのうち前記球誘導経路を通過した遊技球が前記遊技領域に送出される部分に形成されていることを特徴とする請求項１ないし１０のいずれか１項に記載の弾球遊技機。
【請求項１２】
前記内側誘導レールを遊技盤に取り付ける内側誘導レール取付部は、前記内側誘導レールの鉛直下方に当たる内側誘導レール寄りの端部に設けられていることを特徴とする請求項１ないし１１のいずれか１項に記載の弾球遊技機。
【発明の詳細な説明】
【技術分野】
【０００１】
本発明は、パチンコ遊技機等の弾球遊技機に関し、特に遊技球を遊技領域に誘導する誘導レールの構造に関する。
【背景技術】
【０００２】
通常、パチンコ遊技機等の弾球遊技機にあっては、適宜の発射装置から弾発発射された遊技球を遊技領域まで誘導するため、鋼板製の誘導レールが、遊技盤面上に設けられている。例えば、図１５に示すように、遊技盤４００において、遊技球は、内側誘導レール４０１と、外側誘導レール４０２と、前記誘導レール４０１，４０２と遊技盤４００により包囲された球誘導経路４２０内を転動しながら送出され、遊技領域４０６に達する。
【０００３】
従前、内側誘導レール４０１、外側誘導レール４０２を遊技盤４００に固定する場合、当該各誘導レールの一部に取付孔を設け、この取付孔に割ピン４１０を装着して固定していた。そのため、内側誘導レール４０１及び外側誘導レール４０２を遊技盤に固定する作業は、正確な位置決めを各々の割ピン毎について行わなければならず煩雑さを伴うものであった。さらに、各誘導レールの固定に割ピン４１０を用いるため、この割ピン４１０に球誘導経路４２０内を転動する遊技球、あるいは遊技領域４０６内を流下する遊技球が衝突し、意図しない方向に遊技球の進路が変更されるおそれがあった。
【０００４】
意図しない方向に遊技球の進路が変更されることを回避する目的から、外側誘導レールの遊技球が衝突する衝突領域を除く位置に対応させ、複数個の支持片部を所定の間隔を離して一体に形成している弾球遊技機が提案されている（特許文献１参照）。
【０００５】
しかしながら、特許文献１は、従来どおり、内側誘導レール及び外側誘導レールは、両誘導レールの取付孔に割ピンを介して遊技盤に固定するものであることから、上述の割ピンにより意図しない方向に遊技球の進路が変更されるおそれは依然として残っていた
【特許文献１】特開平１１−２０６９７２号公報
【発明の開示】
【発明が解決しようとする課題】
【０００６】
本発明は前記の状況に鑑みなされたものであり、球誘導経路により遊技球を安定して遊技領域に誘導可能とすると共に、遊技盤への球誘導経路を形成する部材の取り付け作業の簡素化を図る弾球遊技機を提供する。
【課題を解決するための手段】
【０００７】
すなわち、請求項１の発明は、遊技盤面に対して略垂直に立設された外側誘導レールと内側誘導レールにより形成された球誘導経路を介し、発射装置により発射された遊技球を前記外側誘導レールの球誘導面に沿わせて遊技盤上に形成された遊技領域に導く弾球遊技機において、前記外側誘導レールには該外側誘導レールと少なくとも略同一の幅及び長さを有し、前記外側誘導レールの球誘導面の裏面に当接して前記外側誘導レールの位置を保持する外側誘導レール保持部材が備えられ、前記外側誘導レール保持部材と前記内側誘導レールとを少なくとも一体に形成し、前記外側誘導レール保持部材の一部に前記外側誘導レールの球誘導面と当接しない非当接部を形成して、前記非当接部により前記外側誘導レール保持部材と非当接とされている前記外側誘導レールの球誘導面は、前記発射装置から発射された遊技球が最初に衝突され易い衝突領域であり、さらに前記外側誘導レール保持部材と非当接とされていることにより、前記外側誘導レール保持部材と非当接とされている前記外側誘導レールの球誘導面が他の前記外側誘導レールの球誘導面よりも弾性力を有することを特徴とする弾球遊技機に係る。
【０００８】
請求項２の発明は、前記外側誘導レールが、前記外側誘導レール保持部材とは別体の弾性部材であり、前記弾性部材自体の弾性力によって前記外側誘導レールは前記外側誘導レール保持部材に沿って取り付けられることを特徴とする請求項１に記載の弾球遊技機に係る。
【０００９】
請求項３の発明は、前記内側誘導レール及び前記外側誘導レール保持部材の各々を一体に立設した台板を備え、前記外側誘導レールは前記外側誘導レール保持部材に沿って取り付けられ、前記球誘導経路は、前記台板と前記内側誘導レール及び前記外側誘導レールにより包囲された空間であることを特徴とする請求項１又は２に記載の弾球遊技機に係る。
【００１０】
請求項４の発明は、遊技盤面に対して略垂直に立設された外側誘導レールと内側誘導レールにより形成された球誘導経路を介し、発射装置により発射された遊技球を前記外側誘導レールの球誘導面に沿わせて遊技盤上に形成された遊技領域に導く弾球遊技機において、前記外側誘導レールは該外側誘導レールの球誘導面と反対側に向けて所定の厚みを有し、前記外側誘導レールと前記内側誘導レールとを少なくとも一体に形成し、前記外側誘導レールの球誘導面において、前記外側誘導レールの有する厚みの一部に切り欠き部を形成した非当接部、あるいは前記外側誘導レールの有する厚みの内部に空洞部を形成した非当接部を設けて、前記外側誘導レールの切り欠き部もしくは空洞部からなる各々の非当接部の球誘導面は、前記発射装置から発射された遊技球が最初に衝突され易い衝突領域であり、さらに前記外側誘導レールの切り欠き部もしくは空洞部を形成することにより、前記切り欠き部もしくは前記空洞部を形成した前記外側誘導レールの球誘導面が他の前記外側誘導レールの球誘導面よりも弾性力を有することを特徴とする弾球遊技機に係る。
【００１１】
請求項５の発明は、前記内側誘導レールと前記外側誘導レールの各々を一体に立設する台板を備え、前記球誘導経路は、前記台板と前記内側誘導レール及び前記外側誘導レールにより包囲された空間であることを特徴とする請求項４に記載の弾球遊技機に係る。
【００１２】
請求項６の発明は、前記台板が前記遊技盤面への取付部を有し、前記取付部は前記台板のうち前記遊技領域及び前記球誘導経路内と異なる前記外側誘導レールの外方側に形成されていることを特徴とする請求項３又は５に記載の弾球遊技機に係る。
【００１３】
請求項７の発明は、前記発射装置から発射された遊技球は、前記外側誘導レール及び前記内側誘導レールと所定間隔を隔てた位置に設けられている発射レールから発射され、前記非当接部は前記外側誘導レールにおいて前記発射レール寄りに形成されていることを特徴とする請求項１ないし６のいずれか１項に記載の弾球遊技機に係る。
【００１４】
請求項８の発明は、前記発射レールに略直線形状の遊技球誘導面を設け、前記遊技球誘導面の遊技球を前記外側誘導レールの球誘導面に向けて前記発射装置より発射可能に配置し、さらに前記外側誘導レールを略円弧状に配設し、発射された遊技球は前記遊技球誘導面によりいったん略直線上に誘導された後、前記外側誘導レールの球誘導面に接触して前記外側誘導レールの球誘導面により曲線的に誘導される構成とし、少なくとも前記発射レールの遊技球誘導面の延長線と前記外側誘導レールの交点に位置する前記外側誘導レールの球誘導面付近に非当接部を形成していることを特徴とする請求項７に記載の弾球遊技機に係る。
【００１５】
請求項９の発明は、前記球誘導経路の一端側に前記発射装置から発射された遊技球を受け入れる球入口が形成されると共に、前記球誘導経路の他端側に当該球誘導経路に受け入れられた遊技球を前記遊技領域に送出する球出口が形成され、
前記非当接部は前記球誘導経路の一端側の近傍に位置していることを特徴とする請求項１ないし８のいずれか１項に記載の弾球遊技機に係る。
【００１６】
請求項１０の発明は、前記非当接部が少なくとも前記外側誘導レールの球誘導面と同一の幅であることを特徴とする請求項１ないし９のいずれか１項に記載の弾球遊技機に係る。
【００１７】
請求項１１の発明は、前記球誘導経路を通過した遊技球がいったん前記遊技領域に送出された際に再度前記球誘導経路に戻ることを防止する球戻り防止部材と、前記球戻り防止部材が取り付けられる球戻り防止取付部を備え、前記球戻り防止取付部は、前記内側誘導レールのうち前記球誘導経路を通過した遊技球が前記遊技領域に送出される部分に形成されていることを特徴とする請求項１ないし１０のいずれか１項に記載の弾球遊技機に係る。
【００１８】
請求項１２の発明は、前記内側誘導レールを遊技盤に取り付ける内側誘導レール取付部は、前記内側誘導レールの鉛直下方に当たる内側誘導レール寄りの端部に設けられていることを特徴とする請求項１ないし１１のいずれか１項に記載の弾球遊技機に係る。
【発明の効果】
【００１９】
請求項１の発明に係る弾球遊技機によると、外側誘導レールには該外側誘導レールと少なくとも略同一の幅及び長さを有し、前記外側誘導レールの球誘導面の裏面に当接して前記外側誘導レールの位置を保持する外側誘導レール保持部材が備えられ、前記外側誘導レール保持部材と内側誘導レールとを少なくとも一体に形成し、前記外側誘導レール保持部材の一部に前記外側誘導レールの球誘導面と当接しない非当接部を形成して、前記非当接部により前記外側誘導レール保持部材と非当接とされている前記外側誘導レールの球誘導面は、発射装置から発射された遊技球が最初に衝突され易い衝突領域であり、さらに前記外側誘導レール保持部材と非当接とされていることにより、前記外側誘導レール保持部材と非当接とされている前記外側誘導レールの球誘導面が他の前記外側誘導レールの球誘導面よりも弾性力を有することを特徴とするため、球誘導経路において発射装置から発射された遊技球を安定して遊技領域に誘導することが可能となる。併せて、遊技盤に球誘導経路を形成する部材の取り付け作業の作業負担を軽減することができる。
【００２０】
請求項２の発明に係る弾球遊技機によると、請求項１の発明において、前記外側誘導レールが、前記外側誘導レール保持部材とは別体の弾性部材であり、前記弾性部材自体の弾性力によって前記外側誘導レールは前記外側誘導レール保持部材に沿って取り付けられるため、外側誘導レール保持部材に対して外側誘導レールの球誘導面を形成する部材の取り付け作業は、種々の固定具を用いることなく容易となる。
【００２１】
請求項３の発明に係る弾球遊技機によると、請求項１又は２の発明において、前記内側誘導レール及び前記外側誘導レール保持部材の各々を一体に立設した台板を備え、前記外側誘導レールは前記外側誘導レール保持部材に沿って取り付けられ、前記球誘導経路は、前記台板と前記内側誘導レール及び前記外側誘導レールにより包囲された空間であるため、遊技盤に球誘導経路を形成する部材の取り付け作業の作業負担を軽減することができる。さらに、内側誘導レール及び外側誘導レール保持部材の各々は台板により補強される。
【００２２】
請求項４の発明に係る弾球遊技機によると、外側誘導レールは該外側誘導レールの球誘導面と反対側に向けて所定の厚みを有し、前記外側誘導レールと内側誘導レールとを少なくとも一体に形成し、前記外側誘導レールの球誘導面において、前記外側誘導レールの有する厚みの一部に切り欠き部を形成した非当接部、あるいは前記外側誘導レールの有する厚みの内部に空洞部を形成した非当接部を設けて、前記外側誘導レールの切り欠き部もしくは空洞部からなる各々の非当接部の球誘導面は、発射装置から発射された遊技球が最初に衝突され易い衝突領域であり、さらに前記外側誘導レールの切り欠き部もしくは空洞部を形成することにより、前記切り欠き部もしくは前記空洞部を形成した前記外側誘導レールの球誘導面が他の前記外側誘導レールの球誘導面よりも弾性力を有することを特徴とするため、球誘導経路において発射装置から発射された遊技球を安定して遊技領域に誘導することが可能となる。併せて、遊技盤に球誘導経路を形成する部材の取り付け作業の作業負担を軽減することができる。
【００２３】
請求項５の発明に係る弾球遊技機によると、請求項４の発明において、前記内側誘導レールと前記外側誘導レールの各々を一体に立設する台板を備え、前記球誘導経路は、前記台板と前記内側誘導レール及び前記外側誘導レールにより包囲された空間であるため、遊技盤に球誘導経路を形成する部材の取り付け作業の作業負担を軽減することができる。さらに、内側誘導レール及び外側誘導レールの各々を台板により補強することができる。
【００２４】
請求項６の発明に係る弾球遊技機によると、請求項３又は５の発明において、前記台板が前記遊技盤面への取付部を有し、前記取付部は前記台板のうち前記遊技領域及び前記球誘導経路内と異なる前記外側誘導レールの外方側に形成されているため、遊技球が取付部に衝突することにより、遊技球の動きを不安定にするおそれを低減することができる。
【００２５】
請求項７の発明に係る弾球遊技機によると、請求項１ないし６のいずれか１項の発明において、前記発射装置から発射された遊技球は、前記外側誘導レール及び前記内側誘導レールと所定間隔を隔てた位置に設けられている発射レールから発射され、前記非当接部は前記外側誘導レールにおいて前記発射レール寄りに形成されているため、発射レールから発射された遊技球が非当接部に接触し易くなり、球誘導経路において遊技球を安定して遊技領域に誘導することが可能となる。
【００２６】
請求項８の発明に係る弾球遊技機によると、請求項７において、前記発射レールに略直線形状の遊技球誘導面を設け、前記遊技球誘導面の遊技球を前記外側誘導レールの球誘導面に向けて前記発射装置より発射可能に配置し、さらに前記外側誘導レールを略円弧状に配設し、発射された遊技球は前記遊技球誘導面によりいったん略直線上に誘導された後、前記外側誘導レールの球誘導面に接触して前記外側誘導レールの球誘導面により曲線的に誘導される構成とし、少なくとも前記発射レールの遊技球誘導面の延長線と前記外側誘導レールの交点に位置する前記外側誘導レールの球誘導面付近に非当接部を形成しているため、発射レールから発射された遊技球が非当接部に接触し易くなり、球誘導経路において遊技球を安定して遊技領域に誘導することが可能となる。
【００２７】
請求項９の発明に係る弾球遊技機によると、請求項１ないし８のいずれか１項の発明において、前記球誘導経路の一端側に前記発射装置から発射された遊技球を受け入れる球入口が形成されると共に、前記球誘導経路の他端側に当該球誘導経路に受け入れられた遊技球を前記遊技領域に送出する球出口が形成され、前記非当接部は前記球誘導経路の一端側の近傍に位置しているため、発射装置から発射された遊技球は非当接部に接触し易くなり、安定して球誘導経路を通って遊技領域に誘導することが可能となる。
【００２８】
請求項１０の発明に係る弾球遊技機によると、請求項１ないし９のいずれか１項の発明において、前記非当接部が少なくとも前記外側誘導レールの球誘導面と同一の幅であるため、非当接部が形成されている球誘導面、すなわち衝突領域のいずれに遊技球が衝突する場合においても、衝突領域自体を広くすることができ、遊技球の動きが不安定化するおそれを低減することができる。
【００２９】
請求項１１の発明に係る弾球遊技機によると、請求項１ないし１０のいずれか１項の発明において、前記球誘導経路を通過した遊技球がいったん前記遊技領域に送出された際に再度前記球誘導経路に戻ることを防止する球戻り防止部材と、前記球戻り防止部材が取り付けられる球戻り防止取付部を備え、前記球戻り防止取付部は、前記内側誘導レールのうち前記球誘導経路を通過した遊技球が前記遊技領域に送出される部分に形成されているため、球誘導経路を通過した遊技球は、いったん遊技領域に送出された後には再度球誘導経路に戻ることが防止される。また、球戻り防止取付部の取り付けが容易となり作業負担を軽減することができる。
【００３０】
請求項１２の発明に係る弾球遊技機によると、請求項１ないし１１のいずれか１項の発明において、前記内側誘導レールを遊技盤に取り付ける内側誘導レール取付部は、前記内側誘導レールの鉛直下方に当たる内側誘導レール寄りの端部に設けられているため、遊技領域を流下する遊技球が内側誘導レール取付部に接触して遊技球が不安定な動きとなるおそれを低減することができる。併せて、球誘導経路を形成する部材を遊技盤に容易かつ強力に取り付けることが可能となる。
【発明を実施するための最良の形態】
【００３１】
以下添付の図面に基づきこの発明の好適な実施形態を説明する。図１はこの発明の一実施例に係る弾球遊技機全体の正面図、図２は同弾球遊技機の前面枠の正面図、図３は第一実施例の台板の正面図、図４は遊技盤及び発射装置の斜視図、図５は遊技盤と外側誘導レール保持部材及び内側誘導レールの分解斜視図、図６は図３のＩ部分の拡大図、図７は図６の外側誘導レールの作用図、図８は図６の矢印方向に眺めた概念図、図９は衝突領域の変形例の概念図、図１０は図３のＩＩ部分の拡大図、図１１は第二実施例の台板の主要拡大正面図、図１２は第三実施例の台板の主要拡大正面図、図１３は図１１の外側誘導レールの作用図、図１４は図１１の矢印方向に眺めた概念図である。
【００３２】
実施例の弾球遊技機１（パチンコ遊技機）は、図１に示すように、弾球遊技機１の遊技盤３の縁に遊技球の外側誘導レール保持部材６０（外側誘導レール４０）及び内側誘導レール５０が略円形に立設され、内側誘導レール５０によって囲まれた遊技領域６の中心線上にその上部から下部に向かって順に表示装置９、始動入賞口７、特別電動役物である大入賞口８、アウト口２が配設され、表示装置９の左右に各種の入賞口が配置される。遊技盤３の前面側には、払い出された遊技球を受けるための上側球受け皿３２、該上側球受け皿３２を取り付けるための取付板３３、上側球受け皿３２の飽和時に遊技球を受けるための下側球受け皿３４、遊技状態を報知するランプ表示器３５，３６及び飾りランプ３９Ｌ，３９Ｒを備えたガラス枠３０、音声や効果音を発して遊技状態を遊技者に報知するスピーカ３７、操作ハンドル８１がそれぞれ組み付けられている。符号１０は遊技機１の外枠、２０は前面枠であり、当該前面枠２０にガラス枠３０、上側球受け皿３２、下側球受け皿３４が組み付けられる。また、前面枠２０には遊技盤３が取り付けられている。
【００３３】
図２ないし図４から明らかなように、当該弾球遊技機１において、遊技盤３の面上３Ｍに対して略垂直に立設された外側誘導レール４０と内側誘導レール５０により球誘導経路７０は形成される。この球誘導経路７０を介して発射装置８０から発射された遊技球Ｐは、外側誘導レール４０の球誘導面４１に沿いながら遊技盤３上に形成された遊技領域６へと導かれる。図中、符号４３は外側誘導レール４０の球誘導面４１にある衝突領域（特には図４の斜線で示される領域）、６０は外側誘導レールの位置を保持する外側誘導レール保持部材、６５は台板、６７は取付部、８５は発射レール、８６ｌは遊技球誘導面の延長線、９０は球戻り防止部材である。発射レール８５から飛来する遊技球Ｐは、衝突領域４３にいったん衝突して外側誘導レール４０の球誘導面４１を沿い転動する。
【００３４】
続いて図５に示すとおり、外側誘導レール４０は外側誘導レール保持部材６０に備えられる。外側誘導レール保持部材６０は、外側誘導レール４０と少なくとも略同一の幅及び長さを有し、外側誘導レール４０の球誘導面４１の裏面４２に当接する。そして、外側誘導レール保持部材６０は外側誘導レール４０の配置される位置を保持し、さらに保持している外側誘導レールの姿勢を規制する。この外側誘導レール保持部材６０と内側誘導レール５０は少なくとも一体に形成されている。実施例の外側誘導レール保持部材と内側誘導レールの各々は台板６５から一体に立設されている。この外側誘導レール保持部材、内側誘導レール、台板の一体物は、適宜の樹脂製部材からなる。
【００３５】
また、実施例において、外側誘導レール４０は、前記の外側誘導レール保持部材６０とは別体の適宜の弾性部材であり、例えばステンレス鋼等の鋼板が用いられる。
【００３６】
外側誘導レール４０と外側誘導レール保持部材６０との取り付け状況を説明する。図示の外側誘導レール４０の一端には略Ｖ字状に屈曲した屈曲片４８が設けられている。この屈曲片４８の形状と適合する係止端６８が外側誘導レール保持部材６０にも備えられている。まず、屈曲片４８は係止端６８に重ね合わせられ、外側誘導レール４０には湾曲されながら撓みが付けられる。そして、外側誘導レール４０は屈曲片４８側から外側誘導レール保持部材６０に沿うようにして取り付けられ、最終的に、外側誘導レール４０の他端に当たる他端片４９は外側誘導レール保持部材６０の係着端６９内に挿着される。
【００３７】
弾性部材である外側誘導レール４０は撓ませることができる部材であり、さらに撓ませた状態であっても元の形状に戻る復元性、つまり弾力性を有している。実施例の外側誘導レール４０は、元来、略直線形状を含む形状に形成されている。そのため、外側誘導レール４０を外側誘導レール保持部材６０に沿わせて取り付ける際、外側誘導レール４０に生じた湾曲が元の略直線形状に戻ろうとする復元性により、外側誘導レール４０は外側誘導レール保持部材６０に沿って取り付けられる。つまり、外側誘導レール４０は金属製の弾性ゆえに、その復元性により外側誘導レール保持部材６０に沿うようにして張り付くこととなる。このため、ビス、割ピン等の固定具を用いずに外側誘導レールを外側誘導レール保持部材（台板を介して遊技盤）に強力に取り付けることが可能である。その結果、取り付け作業の負担を軽減することができる。
【００３８】
さらに図３ないし図５から理解されるように、台板６５には遊技盤３に取り付けるための取付部６７が設けられている。取付部６７は、台板６５のうち遊技領域６及び球誘導経路７０内とは異なる外方６７ｅ側に形成されている。従って、内側誘導レール５０、及び外側誘導レール保持部材６０に張り付いている外側誘導レール４０は、この台板６５（取付部６７）を介し、ビス、釘等の他、接着等により遊技盤３に取り付けられる。そこで、台板６５と、内側誘導レール５０と、外側誘導レール４０により包囲された空間である球誘導経路７０（図２ないし図４参照）は、容易に遊技盤３に形成されることとなる。
【００３９】
このような取り付け形態とすることにより、従前よりも、内側誘導レール及び外側誘導レールの取り付け作業は簡素化される。また、発射された遊技球は、前記の取付部と接触することにより生じる遊技者が意図していない方向に遊技球の進行を変えるというおそれはなくなる。例えば、球誘導経路沿いに遊技球が流れず、内側誘導レール等に接触して進路が意図しない方向に飛ぶことに加え、接触に伴う遊技球のスピード低下等の問題点、具体的には、球誘導経路で球戻りしてファール球となることをはじめ、後述する球出口から送出される遊技球に勢いがなくなり、始動入賞口に向けて流下するはずの遊技球が遊技領域の端に沿って流下し、始動入賞口には入賞せずにアウト球となる問題点はあった。しかしながら、列記のように遊技球のスピードが低下する問題点は本発明の取付部とすることにより改善されている。
【００４０】
ここで、発射装置８０について説明する。図４に示すとおり、発射装置８０は、遊技盤３の右下に配置され、操作ハンドル８１（図１参照）と、この操作ハンドル８１の操作により駆動する発射モータ８２と、発射モータの駆動により間欠的に揺動して遊技球を弾発発射する打球杆８３とを有している。
【００４１】
発射レール８５上には略直線形状の遊技球誘導面８６が設けられ、遊技球は外側誘導レール４０の球誘導面４１に向けて当該発射装置８０（打球杆８３）より発射可能となるように、外側誘導レール４０及び内側誘導レール５０と所定間隔を隔てた位置に発射レール８５は配置されている。さらに、外側誘導レール４０は略円弧状に配設されているため、弾発発射された遊技球は遊技球誘導面８６によりいったん略直線上に誘導された後、外側誘導レール４０の球誘導面４１に接触して球誘導経路７０内を曲線的に誘導される。球誘導経路７０により遊技領域６に誘導された遊技球は、転動しつつ流下し、前記の各入賞口に入球または入賞ゲートを通過するか、あるいは入球、通過がなければアウト口２から遊技盤３の裏側へ排出される（図１参照）。
【００４２】
図２及び図３から理解されるように、発射装置８０から弾発発射されて飛来する遊技球を受け入れるための球入口７２は、球誘導経路７０の一端側７１に形成されている。同時に、球誘導経路７０の他端側７５には当該球誘導経路７０に受け入れられた遊技球を遊技領域６に送出する球出口７６も形成されている。
【００４３】
併せて図２ないし図４に示すとおり、実施例の弾球遊技機１にあっては、外側誘導レール保持部材６０の一部に外側誘導レール４０の球誘導面４１（つまり、球誘導面４１の裏面４２）と当接しない非当接部６１が形成されている。この非当接部６１は、外側誘導レール４０において発射レール８５寄りに形成されていると同時に、球誘導経路７０一端側７１の近傍７１ａに位置している。
【００４４】
非当接部６１について図６の部分拡大図（図３のＩ部分）を用いさらに詳しく述べる。外側誘導レール４０は、前述のとおり、部材自身の有する弾性力により、外側誘導レール保持部材６０に張り付いている。しかし、図示する外側誘導レール保持部材６０においては、当該外側誘導レール保持部材の一部に凹部が形成され、部分的に外側誘導レール保持部材６０が外側誘導レール４０（球誘導面４１）の裏面４２と当接されていない箇所が設けられている。このような外側誘導レール保持部材上の凹部が非当接部６１である。
【００４５】
なお、非当接部６１は、少なくとも発射レールの遊技球誘導面８６の延長線８６ｌ（図２及び図４参照）と、外側誘導レール４０の交点４１ｘに位置する外側誘導レール４０の球誘導面４１の裏面側に形成されている。さらに述べると、衝突領域４３とは、外側誘導レール４０の裏面４２に位置する非当接部６１に対応し、発射装置８０から発射された遊技球が最初に衝突され易くされている球誘導面４１上の領域である（図４の斜線部参照）。
【００４６】
続いて、球誘導面４１上の衝突領域４３に遊技球が衝突した際の外側誘導レール４０の挙動について図６及び図７を用いて説明する。発射装置から発射された遊技球Ｐが球誘導面４１上の衝突領域４３に衝突する前、外側誘導レール４０は外側誘導レール保持部材６０に沿うようにして張り付き、同時に非当接部６１が形成されている（図６参照）。
【００４７】
そして、遊技球Ｐが球誘導面４１上の衝突領域４３に衝突すると、外側誘導レール４０は、部材自体の弾性力により、いったん非当接部６１の内部に落ち込む（図７参照）。すなわち、非当接部６１が形成されていない箇所の外側誘導レール４０（球誘導面４１）は直に外側誘導レール保持部材６０と外側誘導レール４０が接するため、外側誘導レール４０は硬くなりがちである（剛性が高くなりやすい）。これに対して、非当接部６１が形成されている箇所では、外側誘導レールの弾性により硬くならない（剛性が高まらない）。よって、外側誘導レール４０は、変形後直ちに部材自体の弾性力により、元の形状に復元する（図６に復帰する）。
【００４８】
外側誘導レール保持部材６０に設けられている非当接部６１は、外側誘導レール４０の球誘導面４１と少なくとも同一の幅として形成される。図８の概念図に示すように、外側誘導レール４０の球誘導面の幅Ｗｒと、外側誘導レール保持部材６０に設けられている非当接部の幅Ｗｍとは、少なくとも同一の幅、もしくは、幅Ｗｍが幅Ｗｒより僅かに大とされている（図８参照）。このため、衝突領域の全体にわたり外側誘導レール４０は当該非当接部６１内部に容易に落ち込むことができ、遊技球が衝突可能となる衝突領域自体を広くすることができる。
【００４９】
なお、このように非当接部を設けているため、外側誘導レール保持部材に、例えば熱等による変形が生じたとしても、その変形部分は非当接部に移行するため、外側誘導レールに歪みを生じさせることはなく、遊技球の動きに意図しない変化が生じるおそれを低減させることが可能となる。
【００５０】
以上のとおり、外側誘導レール保持部材６０と非当接となる外側誘導レール４０の球誘導面４１（球誘導面４１の裏面４２）は、他の球誘導面４１（球誘導面４１の裏面４２）と比して弾性力をより有する。これは、外側誘導レール４０が弾性部材であることを前提として、非当接部６１には外側誘導レール４０と外側誘導レール保持部材６０との間に凹部（空間）が形成され、非当接部６１以外の部分は、外側誘導レール４０と外側誘導レール保持部材６０との間に凹部（空間）が形成されていないためである。
【００５１】
外側誘導レール保持部材と非当接とならない外側誘導レールの球誘導面（球誘導面の裏面）に遊技球が衝突した場合、外側誘導レールに生じた衝突の撓みを受け入れる箇所が無い。そのため、遊技球の反発は不安定となり（球飛びが悪くなり）、結果として球誘導経路内の通過に時間を要したり、反発の乱れから球誘導経路を後戻りするファール球となりやすい。
【００５２】
逆に非当接となる外側誘導レールの球誘導面に遊技球が衝突した場合、外側誘導レールに撓みが生じることによって、遊技球の不自然な反発は抑制され、遊技球の動きは安定する（球飛びは良くなる）。なお、非当接となる外側誘導レールの球誘導面に遊技球が衝突した後においても、外側誘導レールの有する弾性力により、元の湾曲形状に復元することとなる。
【００５３】
併せて、図９の衝突領域の別例に示すように、外側誘導レール保持部材６０に取り付けられる外側誘導レール４０に適宜の傾きＫを付すこともできる。このようにすると、外側誘導レール４０の球誘導面４１（球誘導面４１の裏面４２）と非当接部６１との間の距離の調整がより容易となる。従って、外側誘導レール４０の材質、外側誘導レール４０の球誘導面（衝突領域）への遊技球の衝突角度、遊技球の弾発速度等が勘案され、前記の傾きが設定される。
【００５４】
前出の球戻り防止部材９０について図３、図５及び図１０の部分拡大図（図３のＩＩ部分）を踏まえて説明する。球戻り防止部材９０は弾性のある略「く」の字形状に屈曲した金属部材である。この球戻り防止部材９０の係止片９１は、図示のとおり、球戻り防止取付部９５の取付係合部９６に差し込むようにして填め合わされ、球戻り防止取付部９５に固定される。球戻り防止部材９０を備えることにより、球誘導経路７０を通過した遊技球がいったん遊技領域６に送出された際、再度球誘導経路７０に遊技球は戻る可能性は低くなる。
【００５５】
また、球戻り防止取付部９５は、内側誘導レール５０のうち、球誘導経路７０を通過した遊技球が遊技領域６に送出される部分、すなわち、球誘導経路７０の他端側７５における球出口７６の内側誘導レール５０側に、当該内側誘導レールの一部分として一体に形成されている。このような位置に球戻り防止取付部９５が形成されるため、遊技球の遊技領域への送出、遊技領域の流下等、遊技球の進路に影響を与えることはなくなる。
【００５６】
さらに加えると、実施例の内側誘導レールは台板から立設した一体物であり、この内側誘導レールに球戻り防止取付部が備えられている。このため、従前の弾球遊技機に見られたような、球戻り防止取付部を単独で遊技盤に取り付ける必要性はなくなる。よって、球戻り防止取付部の取り付け位置を決める煩雑さ、取り付け部品の増加の問題点は解消されると共に、各種部材の取り付け作業は容易となる。また、球戻り防止部材を遊技盤の前面側（正面側）から球戻り防止取付部に取り付けることができるため、球戻り防止部材の取り付けも容易となる。
【００５７】
ここで、図１０に示すように、内側誘導レール５０を遊技盤３に取り付ける内側誘導レール取付部５５は、当該内側誘導レール５０の鉛直下方（図中Ｒは直角である）に当たる領域６Ａ内部の内側誘導レール寄りの端部５３に設けられている。とりわけ、実施例においては、前出の球戻り防止取付部９５に内側誘導レール取付部５５が一体に重ねられるようにして設けられている。この内側誘導レール取付部５５を介し、ビス等により内側誘導レール５０（台板６５）は遊技盤３に取り付けられる。符号５６はビス穴である。
【００５８】
仮に内側誘導レール５０及び外側誘導レール４０が一体に立設している台板６５に軋みが生じる場合、内側誘導レール５０（球出口７６）付近が遊技盤３から浮き上がるおそれがある。しかし、内側誘導レール取付部５５を備えることによって、球出口７６付近の内側誘導レール５０を遊技盤３に固定できるため、取り付け具合は強化される。また、内側誘導レール５０の鉛直下方に当たる領域６Ａには、球出口７６から送出された遊技球が回り込むことは通常あり得ない。従って、遊技領域６を流下する遊技球は、内側誘導レール取付部５５に当接して意図しない方向へと進路が変更するおそれはなくなる。
【００５９】
上記の第一実施例に続き、第二，第三実施例について、図１１ないし図１３を含めて説明する。図示のとおり、外側誘導レール４０Ａ（図１１は第二実施例），４０Ｂ（図１２は第三実施例）は、外側誘導レールの立設状態を強化するために該外側誘導レールの球誘導面４１Ａ，４１Ｂと反対側に向けて所定の厚みＴａを有する。また、この外側誘導レール４０Ａ，４０Ｂと内側誘導レール５０とは少なくとも一体に形成されている。詳しく述べると、第二，第三実施例では共に、台板６６に内側誘導レール５０と外側誘導レール４０Ａ，４１Ａの各々は一体に立設されている。
【００６０】
台板６６は第一実施例の台板６５と同様に適宜の樹脂部材から形成されている。この台板６６と内側誘導レール５０及び外側誘導レール４０Ａ，４０Ｂにより包囲された空間が球誘導経路７０である。なお、台板６６に設けられている取付部６７ｉの構造は前記の台板６５の取付部６７と共通であるため説明を省略する。
【００６１】
上記外側誘導レール４０Ａの球誘導面４１Ａにあっては、当該外側誘導レール４０Ａの有する厚みＴａの一部に切り欠き部６２を形成した非当接部６１Ａが設けられている。同様に、外側誘導レール４０Ｂの球誘導面４１Ｂにあっても、当該外側誘導レール４０Ｂの有する厚みＴａの一部に空洞部６３を形成した非当接部６１Ｂが設けられている。
【００６２】
外側誘導レール４０Ａの切り欠き部６２からなる非当接部６１Ａ、もしくは外側誘導レール４０Ｂの空洞部６３からなる非当接部６１Ｂに関して、各々の非当接部６１Ａ，６１Ｂの球誘導面４１Ａ，４１Ｂは、前記発射装置８０（図２等参照）から発射された遊技球が最初に衝突され易い衝突領域４３Ａ，４３Ｂとなっている。このように外側誘導レール４０Ａの切り欠き部６２、もしくは外側誘導レール４０Ｂの空洞部６３を形成していることにより、当該切り欠き部６２もしくは空洞部６３が形成されている外側誘導レール４０Ａ，４０Ｂの球誘導面４１Ａ，４１Ｂは、他の形成されていない外側誘導レール４０Ａ，４０Ｂの球誘導面４１Ａ，４１Ｂと比較して弾性力を有する。
【００６３】
上記構成における非当接部の作用について図１３を用い説明する。図１３は外側誘導レール４０Ａの球誘導面４１Ａの衝突領域４３Ａ付近を示す。発射装置から発射された遊技球Ｐが球誘導面４１Ａ上の衝突領域４３Ａに衝突する前にあっては、既に図１１にて説明したように、略円弧上の外側誘導レール４０Ａには非当接部６１Ａが形成されている。
【００６４】
そして、遊技球Ｐが球誘導面４１Ａ上の衝突領域４３Ａに衝突すると、外側誘導レール４０Ａは、衝撃を受けて、いったん切り欠き部６２からなる非当接部６１Ａの内部に落ち込む（図１３参照）。外側誘導レール４０Ａは、変形後直ちに部材自体の弾性力により、元の形状に復元する（図１１に復帰する）。
【００６５】
なお、第三実施例の外側誘導レール４０Ｂに遊技球が衝突する場合も、上記と同様に、外側誘導レール４０Ｂは、衝撃を受けて、いったん空洞部６３からなる非当接部６１Ｂの内部に落ち込み（図示省略）、変形後直ちに部材自体の弾性力により、元の形状に復元する（図１２に復帰する）。
【００６６】
ちなみに、外側誘導レール４０Ａ，４０Ｂに設けられている非当接部６１Ａ，６１Ｂは、第一実施例の非当接部６１と同様に、外側誘導レール４０Ａ，４０Ｂの球誘導面４１Ａ，４１Ｂと少なくとも同一の幅として形成される。図１４の概念図に示すように、外側誘導レール４０Ａの球誘導面の幅Ｗｒａと、外側誘導レール６０Ａに設けられている非当接部の幅Ｗｍａとは、少なくとも同一の幅とされている。このため、衝突領域４３Ａの全体にわたり外側誘導レール４０Ａは当該非当接部６１Ａ内部に容易に落ち込むことができ、遊技球が衝突可能となる衝突領域自体を広くすることができる。なお、外側誘導レール４０Ｂの場合も同様であるため、図示及び説明を省略する。
【００６７】
上記のとおり、内側誘導レールと外側誘導レールとを台板にそれぞれ立設させた一体物であっても、遊技球の衝突時に外側誘導レールは非当接部６１Ａ，６１Ｂに撓むことができる。この結果、遊技球の不自然な反発は抑制され、遊技球の動きは安定する（球飛びは良くなる）。なお、非当接となる外側誘導レールの球誘導面に遊技球が衝突した後においても、外側誘導レールの有する弾性力により、元の湾曲形状に復元することとなる。
【００６８】
また、第二，第三実施例にあっても非当接部が設けられているため、外側誘導レールに変形が生じたとしても、その変形部分は非当接部に移行するため、外側誘導レールに歪みを生じさせることはなく、遊技球の動きに意図しない変化が生じるおそれを低減させることが可能となる。
【００６９】
ここで、前記にて図示し詳述した第二，第三実施例において、非当接部と発射レールとの位置関係、非当接部の球誘導経路内の位置関係、球戻り防止取付部が取り付けられる位置、内側レール取付部が取り付けられる位置等は、既に図示し詳述した第一実施例と同様であるため、その説明を省略する。なお、第二，第三実施例の各外側誘導レールは第一実施例と比しても部材の数が少なくなっている。詳細には第一実施例にあっては、少なくとも外側誘導レールと外側誘導レール保持部材を必要とする。しかし、第二，第三実施例は、第一実施例における外側誘導レールと外側誘導レール保持部材に相当する部分を一の外側誘導レールで兼用している。よって、第一実施例と比して第二，第三実施例は、遊技盤に球誘導経路を形成する部材を取り付ける作業負担を軽減することができる。
【００７０】
なお、上述の３つの実施例において、非当接部は衝突領域に対応する外側誘導レールに設けられている。これに加えて、さらに複数の非当接部を配置することも可能である。すなわち、２度目以上の衝突時における遊技球の動きも安定化することが可能となる。また、熱等により変形した部分について、１箇所の非当接部とすることに比して複数の非当接部とすることによって、より多く変形を移行させられる。従って、外側誘導レールに歪みを生じさせることはなくなり、遊技球の動きに意図しない変化が生じるおそれを低減させることが可能となる。
【００７１】
以上をまとめると、前出の図１５に示したように、各々別体である内側誘導レール４０１と外側誘導レール４０２を遊技盤４００に固定する場合には当該各誘導レールの一部に取付孔を設け、この取付孔に割ピン４１０を装着して固定していた。そのため、内側誘導レール４０１及び外側誘導レール４０２を遊技盤４００に固定する作業は、正確な位置決めを各々割ピン毎について行わなければならず煩雑さを伴うものであった。また、各誘導レールが別体であるために取付作業が困難となる要素が多数あった。
【００７２】
上記の内側誘導レール及び外側誘導レールの遊技盤への取り付けを簡素化するため、例えば、図１６に示すように、台板５１０に内側誘導レール５０１と外側誘導レール５０２とを立設した一体レール５００Ｒを遊技盤５００にビス等により固定するものである。この結果、各誘導レールを各々取り付けるよりも、遊技盤に固定する作業を簡素化することは可能である。
【００７３】
しかしながら、外側誘導レール５０２は台板５１０に一体的に立設されているため、外側誘導レール５０２は固定され、当該外側誘導レール５０２のいずれの位置においても撓みが制限される。
【００７４】
よって、発射装置８００（発射レール８０１）から弾発発射された遊技球Ｑが最初に外側誘導レール５０２の衝突領域５０３に衝突した際、この衝突領域５０３における撓みは制限されているため、遊技球Ｑが衝突領域に衝突した際の衝撃は、当該衝突領域において上手く吸収されない（つまり跳ねやすくなる）。そのため、球飛びに乱れが生じ、安定した球飛び（すなわち、発射装置から発射された遊技球が円滑に遊技領域に誘導される状態）を得ることができないおそれがあった。
【００７５】
そこで、本発明においては、外側誘導レールにおいて少なくとも、発射装置から弾発発射された遊技球が外側誘導レールのうち最初に衝突する衝突領域に、各実施例のような非当接部を設けているため、非当接部を設けていない箇所よりも撓みの制限が緩和される。
【００７６】
従って、遊技球は衝突領域に衝突領域に衝突した際、当該衝突領域において衝撃は上手く吸収される（つまり跳ねにくくなる）。そのため、球飛びに乱れが生じるおそれを低減し、結果的に安定した球飛びを得ることが可能である。以上のとおり、本発明では、球誘導経路により遊技球を安定して遊技領域に誘導可能とすると共に、遊技盤への球誘導経路を形成する部材の取り付け作業の簡素化を図ることが可能である。
【図面の簡単な説明】
【００７７】
【図１】この発明の一実施例に係る弾球遊技機全体の正面図である。
【図２】同弾球遊技機の前面枠の正面図である。
【図３】第一実施例の台板の正面図である。
【図４】遊技盤及び発射装置の斜視図である。
【図５】遊技盤と外側誘導レール保持部材及び内側誘導レールの分解斜視図である。
【図６】図３のＩ部分の拡大図である。
【図７】図６の外側誘導レールの作用図である。
【図８】図６の矢印方向に眺めた概念図である。
【図９】衝突領域の変形例の概念図である。
【図１０】図３のＩＩ部分の拡大図である。
【図１１】第二実施例の台板の主要拡大正面図である。
【図１２】第三実施例の台板の主要拡大正面図である。
【図１３】図１１の外側誘導レールの作用図である。
【図１４】図１１の矢印方向に眺めた概念図である。
【図１５】従来の遊技盤の斜視図である。
【図１６】従来の一体レールを有する遊技盤の正面図である。
【符号の説明】
【００７８】
１  弾球遊技機
３  遊技盤
６  遊技領域
４０，４０Ａ，４０Ｂ  外側誘導レール
４１，４１Ａ，４１Ｂ  球誘導面
４３，４３Ａ，４３Ｂ  衝突領域
５０，５０Ａ，５０Ｂ  内側誘導レール
５５  内側誘導レール取付部
６０  外側誘導レール保持部材
６１，６１Ａ，６１Ｂ  非当接部
６５，６６  台板
６７，６７ｉ  取付部
７０  球誘導経路
８０  発射装置
８５  発射レール
８６  遊技球誘導面
９０  球戻り防止部材
９５  球戻り防止取付部
【図１】
2006095010.tif 000003
【図２】
2006095010.tif 000004
【図３】
2006095010.tif 000005
【図４】
2006095010.tif 000006
【図５】
2006095010.tif 000007
【図６】
2006095010.tif 000008
【図７】
2006095010.tif 000009
【図８】
2006095010.tif 000010
【図９】
2006095010.tif 000011
【図１０】
2006095010.tif 000012
【図１１】
2006095010.tif 000013
【図１２】
2006095010.tif 000014
【図１３】
2006095010.tif 000015
【図１４】
2006095010.tif 000016
【図１５】
2006095010.tif 000017
【図１６】
2006095010.tif 000018